(57)【特許請求の範囲】
【請求項１】
有底筒状のケース本体及びその開口に着脱可能に装着されたケースカバーより成り、中心に軸が貫通するケースと、
このケースに軸方向摺動可能に内挿され、軸心に円錐台状の空間によるテーパー面が形成され、ケース内の一端側のストッパー部で停止するテーパーリングと、
このテーパーリングのテーパー面に嵌合し、軸心に前記軸が貫通する孔が突設され、軸心方向に放射状に複数に分割された摩擦駒と、
前記ケース本体の一端内側と前記摩擦駒との間に配設された駒スプリングと、
前記ケースカバー内側とテーパーリングとの間に配設されたバックアップスプリングとを具備し、
前記ケースカバーは軸孔にそったリング部が、摩擦駒にその移動端で当接する位置に突出していると共に、バックアップスプリングの弾発力が駒スプリングの弾発力より大きいことを特徴とする軸スライドロック装置。
【請求項２】
有底筒状のケース本体及びその開口に着脱可能に装着されたケースカバーより成り、中心に軸が貫通するケースと、
このケースに軸方向摺動可能に内挿され、軸心に円錐台状の空間によるテーパー面が形成され、一端側に軸が貫通するリングカバーが固着されたテーパーリングと、
このテーパーリングのテーパー面に嵌合し、軸心に軸が貫通する孔が穿設され、軸心方向に放射状に複数に分割された摩擦駒と、
前記リングカバーと摩擦駒との間に配設された駒スプリングと、
前記ケースカバー内側とテーパーリングとの間に配設されたバックアップスプリングとを具備し、
前記ケースカバーは軸孔にそったリング部が、摩擦駒にその移動端で当接する位置に突出していることを特徴とする軸スライドロック装置。
【請求項３】
有底筒状のケース本体及びその開口に着脱可能に装着されたケースカバーより成り、中心に軸が貫通するケースと、
このケースに軸方向摺動可能に内挿され、軸心に円錐台状の空間によるテーパー面が形成され、ケース内の一端側のストッパー部で停止するテーパーリングと、
このテーパーリングのテーパー面に嵌合し、軸心に軸が貫通する孔が穿設され、軸心方向に放射状に複数に分割された摩擦駒と、
前記ケースカバー内側とテーパーリングとの間に配設されたバックアップスプリングとを具備し、
前記ケースカバーは軸孔にそったリング部が、摩擦駒にその移動端で当接する位置に突出しており、
前記テーパー面が形成された円錐台の小径側を下方にした状態で、前記摩擦駒が自重により下方に移動することを特徴とする軸スライドロック装置。
【発明の詳細な説明】
【０００１】
【発明の属する技術分野】
本発明は、スライドする軸を所定の箇所に固定、または軸が固定されている時は、それに取り付けられる器具を軸にそってスライドし、所定の位置に固定することができる軸スライドロック装置に関するものである。
【０００２】
例えば、風呂場におけるシャワーの保持位置を上下の所望の高さにセットしたり、スポットライトを壁面の自由な高さにセットする等多種の用途がある。
【０００３】
【従来の技術】
従来、スライドする軸を所定の位置にロックしようとすると、図５に示すように軸７が摺動する金物９にボルト９ａを使って軸７を締め付ける構造のものがあった。この場合、軸７の両端を固定し金物９を摺動させることもできた。
【０００４】
【発明が解決しようとする課題】
しかるに、従来の構造では、軸７を違う位置に固定しようとすると、その都度ボルト９ａを緩め軸７を動かし、再びボルト９ａを締め付ける必要があり時間と手間がかかっていた。
また、ボルト９ａの締め付けがあまいと、小さな力で軸が動いてしまう危険があった。
【０００５】
本発明は、前述した事情に鑑みてなされたものであり、従来の欠点を解消し、手で動かすだけで一方向には自由にスライドし、他方向には所定の力以下では動かない構成の軸スライドロック装置を提供せんとするものである。
【０００６】
【課題を解決するための手段】
本発明の軸スライドロック装置は、有底筒状のケース本体及びその開口に着脱可能に装着されたケースカバーより成り、中心に軸が貫通するケースと、
このケースに軸方向摺動可能に内挿され、軸心に円錐台状の空間によるテーパー面が形成され、ケース内の一端側のストッパー部で停止するテーパーリングと、
このテーパーリングのテーパー面に嵌合し、軸心に軸が貫通する孔が突設され、軸心方向に放射状に複数に分割された摩擦駒と、
前記ケース本体の一端内側と前記摩擦駒との間に配設された駒スプリングと、
前記ケースカバー内側とテーパーリングとの間に配設されたバックアップスプリングとを具備し、
前記ケースカバーは軸孔にそったリング部が、摩擦駒にその移動端で当接する位置に突出していると共に、バックアップスプリングの弾発力が駒スプリングの弾発力より大きいことを特徴とする。
【０００７】
また、本発明の軸スライドロック装置は、有底筒状のケース本体及びその開口に着脱可能に装着されたケースカバーより成り、中心に軸が貫通するケースと、
このケースに軸方向摺動可能に内挿され、軸心に円錐台状の空間によるテーパー面が形成され、一端側に軸が貫通するリングカバーが固着されたテーパーリングと、
このテーパーリングのテーパー面に嵌合し、軸心に軸が貫通する孔が穿設され、軸心方向に放射状に複数に分割された摩擦駒と、
前記リングカバーと摩擦駒との間に配設された駒スプリングと、
前記ケースカバー内側とテーパーリングとの間に配設されたバックアップスプリングとを具備し、
前記ケースカバーは軸孔にそったリング部が、摩擦駒にその移動端で当接する位置に突出していることを特徴とする。
【０００８】
さらに、本発明の軸スライドロック装置は、有底筒状のケース本体及びその開口に着脱可能に装着されたケースカバーより成り、中心に軸が貫通するケースと、このケースに軸方向摺動可能に内挿され、軸心に円錐台状の空間によるテーパー面が形成され、ケース内の一端側のストッパー部で停止するテーパーリングと、このテーパーリングのテーパー面に嵌合し、軸心に軸が貫通する孔が穿設され、軸心方向に放射状に複数に分割された摩擦駒と、前記ケースカバー内側とテーパーリングとの間に配設されたバックアップスプリングとを具備し、前記ケースカバーは軸孔にそったリング部が、摩擦駒にその移動端で当接する位置に突出しており、前記テーパー面が形成された円錐台の小径側を下方にした状態で、前記摩擦駒が自重により下方に移動することを特徴とする。
【０００９】
【発明の実施の形態】
図１は本発明の請求項１に係る実施の形態を示す縦断面図、図２は図１のＡ−Ａ線断面図、図３は図１の装置で軸に外力が作用して摩擦駒とテーパーリングが移動した状態の縦断面図、図４は本発明の請求項２に係る実施の形態を示す縦断面図である。
図１〜図３において、８は、有底筒状のケース本体５とケースカバー６とで構成されており、ケース８には軸７が貫通し、テーパーリング３が内挿され、開口にはケースカバー６が着脱可能に装着されている。ケースカバー６の着脱は図示しないねじによっても良いが、図示のように、ケースカバー６の、ケース本体５の開口に嵌入する部分の先端に複数の爪６ｂが形成され、爪６ｂと爪６ｂの間に切れ目が入れてあり、嵌入時に爪６ｂが内側に動きケース本体５の溝に係止するスナップフィット構造でもよい。
また、軸７が貫通する軸孔にそったリング部６ａは、摩擦駒１の移動端で摩擦駒１と当接する位置に突出している。
【００１０】
テーパーリング３は、ケース本体５に軸方向摺動可能に内挿され、軸心には円錐台状の空間によるテーパー面３ａが形成され、ケース本体５の一端側の壁であるストッパー部５ａで停止し、他方側へはケースカバー６まで摺動可能となっている。
そして、このテーパーリング３の円錐台状の空間には、テーパー面３ａに嵌合して摩擦駒１が挿入されており、この摩擦駒１は軸心に軸７が貫通する孔１ａが穿設され、かつ、軸心方向に二分割されている（図２）。ただし、３分割以上に分割されても良い。
【００１１】
そして、ケース本体５の一端内側と摩擦駒１との間には駒スプリング２が、ケースカバー６内側とテーパーリング３との間にはバックアップスプリング４がそれぞれ配設され、バックアップスプリング４の弾発力は駒スプリング２の弾発力より大きくなっている。
【００１２】
図１は軸７に外力が作用していない状態で、軸７は軸スライドロック装置１０にロックされている。そして、バックアップスプリング４の弾発力ｆ１が駒スプリング２の弾発力Ｐ１より大きいので、テーパーリング３は、バックアップスプリング４によりストッパー部５ａに押圧され、摩擦駒１とケースカバー６のリング部６ａとの間には隙間ｔが存在している。そして、摩擦駒１は駒スプリング２により押されているため、部品寸法がばらついても常にテーパーリング３のテーパー面３ａとの間に隙間がないように軸７とテーパーリング３との間に嵌入している。
【００１３】
図１においては、Ｐ１＜ｆ１なのでテーパーリング３は、ケース本体５のストッパー部５ａに押し付けられている。そして、軸７への外力Ｆ１が（ｆ１−Ｐ１）よりも小さければ、軸７は動かずロックされた状態を保つ。Ｆ１を、（ｆ１−Ｐ１）を越えない範囲で強くしていくと、軸は動きだそうとするが、軸７と摩擦駒１の摩擦により摩擦駒１は、軸７とテーパーリング３との間に入り込もうとし、楔の作用により一層軸７を締め付けてロックする。
【００１４】
しかし、Ｆ1 と逆方向には小さい外力で動かすことができる。即ち、軸をＦ1 と逆方向に動かすと、摩擦駒１は軸７と一緒に移動しようとするので、テーパリング３のテーパー面３ａから外れ摩擦駒１が軸７を締め付ける力が弱くなる。
【００１５】
図３はロックが解除された状態を示す。Ｆ１が（ｆ１−Ｐ１）より大きくなると、バックアップスプリング４は、たわんで摩擦駒１とテーパーリング３とは、一体となって図３に示すように左方へ移動する。左方へ移動すると、摩擦駒１のみケースカバー６のリング部６ａに突き当たる。この状態でさらに軸をＦ１方向に押し込んでも摩擦駒１はリング部６ａにより移動を妨げられているので、前記のような楔の作用は出ない。従って、軸は一定の外力（ｆ１−Ｐ１より大きい外力）で動く。
【００１６】
Ｆ1 の外力を取り除くと、バックアップスプリング４の弾発力により、摩擦駒１とテーパリング３とは右方へ押され図１の状態に戻る。
前記動作は軸７に外力を加えて動かさずに、軸スライドロック装置１０に外力を加えて動かしても作用は同じである。
従って、例えば本発明を浴場のシャワーに採用した場合には、図１，図３における軸７の左側を上にして縦にし、上下端を壁面に固定し、シャワーをはめ込む金具を軸スライドロック装置１０に取り付け、この金具の位置を手で上下にスライドさせることにより、所望の高さにシャワーを保持することができる。
【００１７】
図４の構造は図１〜図３の構造に比べ、ケース本体５のストッパー部５ａをなくし、テーパリング３１の一端側に軸が貫通するリングカバー３１ｂが固着され、このリングカバー３１ｂと摩擦駒１との間に駒スプリング２を配設させたものである。こうするとバックアップスプリング４の弾発力が駒スプリング２の弾発力より大きいという関係をなくすことができる。
【００１８】
駒スプリング２は摩擦駒１とリングカバー３１ｂとの間で作用し、バックアップスプリング４に影響を及ぼさない。
従って、Ｆ2 の外力がバックアップスプリング４の弾発力より大きくなって矢印方向に加えられると、摩擦駒１はケースカバー６のリング部６ａに当接し、軸７がスライドする。
【００１９】
前記実施の形態では、いずれも駒スプリング２を有しているが、軸７を縦方向（垂直方向）にして使用する場合には、必ずしも必要ではない。すなわち、軸７を図１において左側が下方となる縦方向（垂直方向）にして使用する場合には、摩擦駒１は自重にて下方に移動でき、前記実施の形態と同様の作用をすることができるからである。
【００２０】
【発明の効果】
以上、詳細に説明した本発明によれば、下記のような効果を奏するものである。
(1) ロック状態を解除するとき、従来のようにボルトをゆるめる等の作業を必要とせず手で動かすだけで軸または、軸スライドロック装置を動かすことができる。
【００２１】
(2) ロックを解除する力はバックアップスプリングを替えることにより簡単に変更できる。
【００２２】
(3) また、請求項３の発明によれば、摩擦駒の一方向（下方）への移動は、自重にて行うので、駒スプリングを不要とし、部品点数の減少を図ることができる。
【図面の簡単な説明】
【図１】本発明における請求項１の一実施の形態を示す縦断面図である。
【図２】図１のＡ−Ａ線断面図である。
【図３】図１の状態から軸に外力が作用して摩擦駒とテーパーリングとが移動した状態の縦断面図である。
【図４】本発明における請求項２の一実施の形態を示す縦断面図である。
【図５】従来の軸スライドロック装置の縦断面図である。
【符号の説明】
１０  軸スライドロック装置
１  摩擦駒
１ａ  孔
２  駒スプリング
３，３１  テーパーリング
３ａ，３１ａ  テーパー面
３１ｂ  リングカバー
４  バックアップスプリング
５  ケース本体
５ａ  ストッパー部
６  ケースカバー
６ａ  リング部
７  軸
８  ケース
【図１】
0003858180.tif 000002
【図２】
0003858180.tif 000003
【図３】
0003858180.tif 000004
【図４】
0003858180.tif 000005
【図５】
0003858180.tif 000006